(57)【要約】      （修正有）【課題】連続ダンボールでパーテーションを組み立てる際のハンドリング性を向上させる連続ダンボール材を提供する。【解決手段】延在方向に沿って帯状に連続するダンボールウェブが、幅方向に沿って延び延在方向へ等間隔に離間して設けられた複数の折目３０で蛇腹折りに折り重ねられた連続ダンボール材１０である。連続ダンボール材は、ダンボールウェブの延在方向に沿って連続的に延びており、幅方向の少なくとも一方で延在方向に延在する縁部Ｅに設けられた面部２４を面部を除く領域２５に対して折り曲げるための罫線部２０を備えている。【選択図】図１
0003228175.tif 000002
【実用新案登録請求の範囲】
【請求項１】
延在方向に沿って帯状に連続するダンボールウェブが、幅方向に沿って延び前記延在方向へ等間隔に離間して設けられた複数の折目で蛇腹折りに折り重ねられた連続ダンボール材であって、
前記ダンボールウェブで前記延在方向に沿って連続的に延びており、前記幅方向の少なくとも一方で前記延在方向に延在する縁部に設けられた面部を前記ダンボールウェブで前記面部を除く領域に対して折り曲げるための罫線部を備えている
ことを特徴とする連続ダンボール材。
【請求項２】
前記罫線部は前記縁部から離間する寸法のそれぞれ異なる位置に設けられた複数の罫線で構成されている
ことを特徴とする請求項１に記載の連続ダンボール材。
【請求項３】
前記幅方向の両側で前記延在方向に延在する前記縁部に設けられた前記面部のそれぞれに対応して前記罫線部を備えている
ことを特徴とする請求項１または２に記載の連続ダンボール材。
【請求項４】
請求項１〜３の何れか１項に記載の連続ダンボール材を用いて組み立てられたパーテーション。
【考案の詳細な説明】
【技術分野】
【０００１】
本考案は、パーテーションに用いて好適なダンボール材に関する。また、ダンボール材で組み立てられたパーテーションに関する。
【背景技術】
【０００２】
近年、災害避難所などにおいて、ダンボール材で組み立てられたパーテーション(間仕切り板)を用いることが提案されている。
例えば特許文献１には、仕切り壁材をなす複数の枚葉ダンボールシートを十字状連結具で自立させるとともに相互に連結させて組み立てられたパーテーションが開示されている。
【先行技術文献】
【特許文献】
【０００３】
【特許文献１】実用新案登録第3177322号
【考案の概要】
【考案が解決しようとする課題】
【０００４】
枚葉ダンボールシートでパーテーションを組み立てる場合、複数枚の枚葉ダンボールシートをつなぎ合わせて自立させる必要がある。そのため、パーテーションの用途にダンボール材を適用する場合、組み立ての容易性や自立性の確保といった取り扱い性能（ハンドリング性）に改善の余地があった。
【０００５】
本件の連続ダンボール材は、上記の課題に鑑みて創案されたものであり、パーテーションを組み立てる際のハンドリング性を向上させることを目的の一つとする。なお、この目的に限らず、後述する「考案を実施するための形態」に示す各構成から導き出される作用および効果であって、従来の技術では得られない作用および効果を奏することも、本件の他の目的として位置付けることができる。
【課題を解決するための手段】
【０００６】
ここで開示する連続ダンボール材は、延在方向に沿って帯状に連続するダンボールウェブが、幅方向に沿って延び前記延在方向へ等間隔に離間して設けられた複数の折目で蛇腹折りに折り重ねられた連続ダンボール材である。この連続ダンボール材は、前記ダンボールウェブで前記延在方向に沿って連続的に延びており、前記幅方向の少なくとも一方で前記延在方向に延在する縁部に設けられた面部を前記ダンボールウェブで前記面部を除く領域に対して折り曲げるための罫線部を備えている。
【０００７】
前記罫線部は前記縁部から離間する寸法のそれぞれ異なる位置に設けられた複数の罫線で構成されていることが好ましい。
上記の連続ダンボール材は、前記幅方向の両側で前記延在方向に延在する前記縁部のそれぞれに設けられた前記面部のそれぞれに対応して前記罫線部を備えていることが好ましい。
そのほか、ここで開示するパーテーションは、上記の連続ダンボール材を用いて組み立てられている。
【考案の効果】
【０００８】
本件の連続ダンボール材によれば、パーテーションを組み立てる際のハンドリング性を向上させることができる。
【図面の簡単な説明】
【０００９】
【図１】本件の連続ダンボール材を示す斜視図である。
【図２】図１の連続ダンボールを展開したダンボールウェブの斜視図である。
【図３】図１の連続ダンボールで組み立てられたパーテーションの斜視図である。
【考案を実施するための形態】
【００１０】
以下、実施形態にかかる連続ダンボール材を説明する。
まず、連続ダンボール材の構造を項目［１］で述べる。次に、連続ダンボール材に関するパラメータを項目［２］で述べる。それから、連続ダンボール材で組み立てたパーテーションを項目［３］で述べる。
【００１１】
［１．連続ダンボール材の構造］
＜基本構造＞
図１，図２に示すように、本実施形態の連続ダンボール材１０は、延在方向に帯状に連続するダンボールウェブ１０Ｗを蛇腹折りに折り重ねた紙資材である。
本実施形態の連続ダンボール材１０には、以下に列挙する種々のダンボールを採用することができる。
・両面ダンボール：中芯に対して両側にライナが設けられたダンボール
・片面ダンボール：中芯に対して片側にライナが設けられたダンボール
【００１２】
上記の両面ダンボールには、一つの中芯および二つのライナのそれぞれに対応する三つの原紙（資材）から構成されたシングルフルートのダンボールのほか、いわゆる「複両面ダンボール」や「複々両面ダンボール」のように三つ以上の中芯（一つ以上の中ライナを含む）および二つのライナのそれぞれに対応する五つ以上の原紙から構成されたマルチフルートのダンボールも含まれる。
本実施形態では、シングルフルートの両面ダンボールからなる連続ダンボール材１０を主に例示する。また、本実施形態では、連続ダンボール材１０で中芯に形成された波形（波目）が延在方向に対して垂直に設けられている場合を例示する。
【００１３】
本実施形態で、連続ダンボール材１０をなすダンボールウェブ１０Ｗが帯状に連続する方向を「延在方向」（図中には「ＭＤ」と記す）と称する。延在方向は、ダンボールウェブ１０Ｗや連続ダンボール材１０の製造装置において連続ダンボール材１０またはダンボールウェブ１０Ｗが搬送される方向（流れ方向）に対応している。
「幅方向」（図中には「ＣＤ」と記す）はダンボールウェブ１０Ｗの延在面で延在方向に直交する方向である。また、「厚み方向」（図中には「ＴＤ」と記す）は延在方向および幅方向の双方に直交する。この厚み方向は、連続ダンボール材１０においてはダンボールウェブ１０Ｗが蛇腹折りに折り重ねられた方向に対応する。
【００１４】
＜折目＞
連続ダンボール材１０（およびダンボールウェブ１０Ｗ）には、延在方向に沿う罫線部２０と幅方向に沿う複数の折目３０との二種の罫線が設けられている。
折目３０は、ダンボールウェブ１０Ｗを蛇腹折りするための罫線である。複数の折目３０は、ダンボールウェブ１０Ｗにおいて延在方向へ等間隔に離間して設けられている。
ダンボールウェブ１０Ｗが複数の折目３０で蛇腹折りに折り重ねられて、直方体状の連続ダンボール材１０をなす。すなわち、延在方向に隣接する二つの折目３０の一方で、ダンボールウェブ１０Ｗは延在方向の一方から他方へ向かって折り返され、延在方向で隣接する二つの折目３０の他方で、ダンボールウェブ１０Ｗは延在方向の他方から一方へ向かって折り返される。
【００１５】
＜罫線部＞
罫線部２０は、延在方向に沿って連続的に延びた罫線である。ここでは、連続ダンボール材１０（およびダンボールウェブ１０Ｗ）において幅方向の両側に罫線部２０が設けられた例を挙げる。
連続ダンボール材１０（およびダンボールウェブ１０Ｗ）は、下記の二つの領域に大別される。
・面部２４：幅方向両側で延在方向に沿って線状に延在する縁部Ｅを含む面状の領域
・領域２５：面部２４を除く領域
面部２４は、連続ダンボール材１０でパーテーションを組み立てるときに折り曲げられて、パーテーションの自立性を確保する機能を持つ部位である。
【００１６】
罫線部２０は、幅方向の両側に設けられた面部２４のそれぞれに対応して設けられている。罫線部２０のそれぞれは、幅方向の両側に設けられた面部２４のそれぞれを、連続ダンボール材１０（ダンボールウェブ１０Ｗ）で面部２４を除く領域２５に対して折り曲げるために設けられている。すなわち、縁部Ｅと罫線部２０との間に挟まれた領域が面部２４をなす。
そのほか、罫線部２０が連続ダンボール材１０（およびダンボールウェブ１０Ｗ）で両面（厚み方向の一方および他方の双方）に設けられている場合を例に挙げる。別の例で罫線部２０は連続ダンボール材１０（およびダンボールウェブ１０Ｗ）で片面（厚み方向の一方および他方の片方）にのみ設けられていてもよい。
【００１７】
罫線部２０は、縁部Ｅから幅方向の中央部へ向かって所定寸法だけ離間した位置に設けられている。所定寸法は、面部２４がパーテーションの自立性を確保する機能を果たし得る寸法に基づいて設定される。
幅方向で両側の罫線部２０のそれぞれは、縁部Ｅから幅方向の中央部へ向かって同じ寸法だけ離間した位置に設けられていてもよいし、罫線部２０のそれぞれが縁部Ｅから幅方向の中央部へ向かって異なる寸法だけ離間した位置に設けられていてもよい。
【００１８】
罫線部２０のそれぞれは、延在方向に沿って連続的に延びた複数の罫線で構成されている。
罫線部２０をなす複数の罫線のそれぞれは、縁部Ｅから離間する寸法のそれぞれ異なる位置に設けられている。このように複数の罫線を並設することで、面部２４や、面部２４を除く領域２５の幅方向の寸法を多段階で調節できるようになっている。
例えば、罫線部２０のそれぞれが五［本］の罫線で構成されている場合、面部２４や、面部２４を除く領域２５の幅方向の寸法を五段階の範囲で選択可能になる。
罫線部２０をなす複数の罫線どうしの間隔は等間隔でもよいし、互いに異なっていてもよい。
【００１９】
そのほか、面部２４で折目３０に沿って破断用のミシン目（切れ込みガイド）が設けられて、ミシン目に沿って面部２４を破断して切れ込み部２２（後述の図３参照）が形成されてもよい。
また、罫線部２０をなす罫線に破断用のミシン目（延在方向に沿うミシン目）が設けられてもよい。
【００２０】
＜罫線の形成手順＞
罫線部２０および折目３０は例えば以下の手順Ｓ１およびＳ２で形成される。
・手順Ｓ１：ダンボールウェブ１０Ｗを製造するコルゲートマシンで延在方向に沿っ
て連続的に罫線部２０（複数の罫線）を形成する。
・手順Ｓ２：次に、ダンボールウェブ１０Ｗを蛇腹折りして連続ダンボール材１０を
製造する蛇腹折り装置で幅方向に沿う折目３０を形成する。
別の例として、罫線部２０と折目３０との両方を蛇腹折り装置で形成してもよい。
【００２１】
［２．連続ダンボール材のパラメータ］
つぎに、連続ダンボール材１０に関するパラメータを述べる。
――サイズ――
連続ダンボール材１０のサイズは、小さいほどパーテーションのサイズの制約が大きくなるおそれがあり、大きいほど運搬や納入といった作業性が低下するおそれがある。これらの観点より、連続ダンボール材１０のＣＤ方向（幅方向）の寸法、ＭＤ方向（延在方向）の寸法およびＴＤ方向（厚み方向）の寸法は、下記の表１に示す範囲であることが好ましい。
【００２２】
【表１】
0003228175.tif 000003
【００２３】
運搬や納入，保管などに際して、連続ダンボール材１０はパレットに載置される。パレットに載置された連続ダンボール材１０は、延在方向に連続している一［枚］のダンボールウェブ１０Ｗで構成されたものに限らず、延在方向に分割された複数［枚］のダンボールウェブ１０Ｗで構成されてもよい。言い換えれば、パレットに載置された連続ダンボール材１０は高さ方向で複数に分割されていてもよい。この場合、パーテーション用途として扱う際に、連続ダンボール材１０の持ち運びがしやすいというメリットがある。
【００２４】
――厚み寸法――
連続ダンボール材１０をなすダンボールには、厚み寸法が５［ｍｍ］のＡフルート，厚み寸法が３［ｍｍ］のＢフルート，厚み寸法が４［ｍｍ］のＣフルート，厚み寸法が１．５［ｍｍ］のＥフルート，任意の２種類のフルートを組み合わせたダブルフルート（厚み寸法は６〜１０［ｍｍ］）といったさまざまな規格の厚み寸法を採用することができる。そのほか、規格化されていない厚み寸法が採用されてもよい。
【００２５】
厚み寸法が大きいほど、強度が向上する傾向にあるものの、持ち運びや曲げ加工がしにくくなる傾向もある。これらの傾向を考慮して、連続ダンボール材１０に用いられるダンボールの厚み寸法は、１．５［ｍｍ］〜１０［ｍｍ］であることが好ましく、１．５［ｍｍ］〜５［ｍｍ］であることがより好ましい。
【００２６】
――罫線部――
罫線部２０をなす罫線の深さは、罫線部２０をなす罫線でダンボールウェブ１０Ｗが厚み方向に押し込まれた深さの寸法である。
罫線部２０をなす罫線の深さは、蛇腹折り時の折り畳みやすさと、パーテーション用途で脚部をなす面部２４の折り曲げやすさと、パーテーション用途での起立安定性との何れも確保する観点から下記の表２に示す範囲であることが好ましい。
なお、下記の表２で罫線の「深さ」は、罫線治具でダンボールに罫線を凹設する際に、ダンボールの表面または裏面をなすライナがどの程度押し込まれたかを、ダンボールの総厚に対する割合［％］で表現した値である。
【００２７】
【表２】
0003228175.tif 000004
【００２８】
――原紙――
連続ダンボール材１０に用いられるダンボールを構成するライナ原紙と中芯原紙の坪量は、蛇腹折り時の折り畳みやすさと、パーテーション用途で脚部をなす面部２４の折り曲げやすさと、パーテーション用途での起立安定性との何れも確保する観点から下記の表３に示す範囲であることが好ましい。
【００２９】
【表３】
0003228175.tif 000005
【００３０】
ライナ原紙の材質は、パーテーション用途での起立安定性の観点からＣライナ、もしくはＫライナであることが好ましく、蛇腹折り時の折り畳みやすさと、パーテーション用途で脚部をなす面部２４の折り曲げやすさと、パーテーション用途での起立安定性との何れも確保する観点からＫライナが好ましい。
【００３１】
――そのほか――
たとえば、連続ダンボール材１０の段数としては、たとえば１０〜１０００［段］のさまざまな段数が挙げられる。
延在方向に隣接する折目３０どうしの離間する寸法（間隔の寸法）は、連続ダンボール材１０のＣＤ方向（幅方向）の寸法に対応しており、蛇腹折り時にダンボールシートの中央部が折れてしまうことを抑制する観点や、連続ダンボール材として安定性を確保する観点から１０００［ｍｍ］〜１３００［ｍｍ］であることが好ましく、１１００［ｍｍ］〜１２００［ｍｍ］であることがより好ましい。
【００３２】
［３．パーテーション］
図３は、連続ダンボール材１０を用いて組み立てたパーテーション１０Ｐを説明する斜視図である。図３では、パーテーション１０Ｐが載置された載置面を基準に上下方向を定めるものとする。
パーテーション１０Ｐは、空間を仕切るための間仕切り板であり、壁面部として連続ダンボール材１０を展開して折目３０で折り曲げたシート（下方の面部２４を除く領域２５）を有している。
【００３３】
図３では、連続ダンボール材１０から三段分のダンボール材が切り出された資材からパーテーション１０Ｐが組み立てられ例を示し、壁面部をなすシートが上方から視てコの字型に折り曲げられている場合を例示している。
パーテーション１０Ｐを組み立てる作業者は、連続ダンボール材１０からダンボールウェブ１０Ｗを展開して、パーテーション１０Ｐの作成に必要な分だけシートを切り出すことができる。壁面部をなすシートが連続しているので、シートどうしをつなぎ合わせて壁面部をなすシートの寸法を確保する作業が不要である。
【００３４】
パーテーション１０Ｐには、壁面部をなすシートを下方で支持する脚部として、下方に配置された罫線部２０で折り曲げられた面部２４（「下方の面部２４」）が設けられている。
下方の面部２４は、下方に配置された罫線部２０で領域２５に対して折り曲げられた部位である。図３で面部２４は、壁面部で上方から視てコの字型に仕切られた空間に対して外側へ向かって折り曲げられている。
折り曲げられた下方の面部２４がパーテーション１０Ｐの載置面に沿って延在しているので、下方の面部２４から立ち上がる壁面部が起立した姿勢で安定する。
【００３５】
下方の面部２４は、パーテーション１０Ｐで下方に配置された罫線部２０をなす複数の罫線の何れか一つを起点に折り返されている。罫線部２０をなす複数の罫線の何れを選択するかによってパーテーション１０Ｐの上下方向の寸法が調節される。
下方の面部２４のうち、壁面部をなすシートが折目３０で折り曲げられた箇所では、切れ込み部２２が形成されている。切れ込み部２２は、シートを折目３０で折り曲げる際に作業者がカッターなどで切断して形成してもよい。面部２４で折目３０に沿って破断用のミシン目（切れ込みガイド）が設けられて、ミシン目に沿って破断することで切れ込み部２２が形成されてもよい。
【００３６】
パーテーション１０Ｐで上方に配置された罫線部２０で上方の面部２４′が折り返されてもよい。上方の面部２４′は、例えば、壁面部で上方から視てコの字型に仕切られた空間に対して内側へ向かって折り曲げられるとよい。このように上方で折り返された面部２４′は、パーテーション１０Ｐの安定性を向上させる機能を有する。また、上方で折り返された面部２４′はパーテーション１０Ｐの屋根部としても機能し得る。
【００３７】
［４．作用および効果］
本実施形態は、上述のように構成されるため、下記のような作用および効果を得ることができる。
（１）本実施形態の連続ダンボール材１０によれば、延在方向に沿って連続的に延びる罫線部２０が設けられているため、罫線部２０で面部２４を折り返すだけでパーテーション１０Ｐを自立させることがきる。このため、別途治具を用いることなくパーテーション１０Ｐの自立性を確保できる。したがって、連続ダンボール材１０でパーテーション１０Ｐを組み立てる際の組み立ての容易性や自立性の確保といった取り扱い性能（ハンドリング性）を向上させることができる。
【００３８】
（２）罫線部２０が縁部Ｅから離間する寸法のそれぞれ異なる位置に設けられた複数の罫線で構成されているので、罫線の選択によりパーテーション１０Ｐの上下方向の寸法を調節することができる。そのため、パーテーション１０Ｐに要求される寸法あるいは形状の調節作業が容易となる。この点からも、連続ダンボール材１０でパーテーション１０Ｐを組み立てる際の取り扱い性能を高めることができる。
【００３９】
（３）罫線部２０が幅方向の両側の縁部Ｅのそれぞれに対応して設けられているので、パーテーション１０Ｐを組み立てる際に幅方向の両側の縁部Ｅの何れを下方に配置することもでき、連続ダンボール材１０でパーテーション１０Ｐを組み立てる際の取り扱い性能を高めることができる。また、パーテーション１０Ｐで下方の面部２４を折り曲げるだけでなく、上方の面部２４′も折り返すことができるので、パーテーション１０Ｐの安定性を向上させることもできる。
（４）連続ダンボール材１０で組み立てたパーテーション１０Ｐによれば、上述のように組み立てる際の取り扱い性能を向上させることができる。
【００４０】
そのほか、連続ダンボール材１０を用いたパーテーション１０Ｐは、スチールや、プラスチックを用いたパーテーションに比べて重量が軽いなどの点で取り扱いが容易である。また、スチールや、プラスチックを用いたパーテーションに比べて廃棄の手間が少なく、資源再利用の容易性も高い。
【００４１】
［５．そのほか］
上述の実施形態はあくまでも例示に過ぎず、この実施形態で明示しない種々の変形や技術の適用を排除する意図はない。本実施形態の各構成は、それらの趣旨を逸脱しない範囲で種々変形して実施することができる。また、必要に応じて取捨選択することができ、適宜組み合わせることもできる。
たとえば、罫線部２０をなす罫線は一本でもよい。また、幅方向の一方の縁部Ｅに対応する罫線部２０のみ設ける構成でもよい。
【符号の説明】
【００４２】
１０    連続ダンボール材
１０Ｗ  ダンボールウェブ
１０Ｐ  パーテーション
２０    罫線部
２２    切れ込み部
２４    面部
２５    領域
３０    折目
Ｅ      縁部
【図１】
0003228175.tif 000006
【図２】
0003228175.tif 000007
【図３】
0003228175.tif 000008